(57)【要約】【目的】ハンドルのハンドルポストへの組み付け作業を極めて簡便に行えるようにすること。【解決手段】ハンドルポスト６に、ハンドル７の外周面の一方側であるポスト側外周面を支持する固定ブラケット１５を固着し、ハンドル７の他方側外周面を支持する可動ブラケット１７を固定ブラケット１５に対し開閉自在に枢着し、ハンドル７にスポンジ様の管状グリップ１０を嵌め込んだ状態で、ハンドル７のポスト側外周面を固定ブラケット１５に当てつけ、可動ブラケット１７をハンドル７の他方側外周面に可動ブラケット１７を当てつけて閉鎖状態とし、この状態で可動ブラケット１７の締付部２２とこれに対応する固定ブラケット１５側の締付部２２とを締付固定手段により締め付け固定する。【選択図】　　　　図１
2004097655.tif 000002
【特許請求の範囲】
【請求項１】
使用者が座るサドルと使用者の足で漕ぐペタルと使用者の手を掛けるハンドルとを備える自転車タイプの運動器具であって、ハンドルを支えるハンドルポストに、スポンジ様の管状グリップを嵌め込んだハンドルを組み付けるに当たって、ハンドルポストに、ハンドルの外周面の一方側であるポスト側外周面を支持する固定ブラケットを固着し、ハンドルの他方側外周面を支持する可動ブラケットを固定ブラケットに対し開閉自在に枢着し、ハンドルにスポンジ様の管状グリップを嵌め込んだ状態で、ハンドルのポスト側外周面を固定ブラケットに当てつけ、且つ可動ブラケットを開放状態からハンドルの他方側外周面に可動ブラケットを当てつけて閉鎖状態とし、この状態で可動ブラケットの遊端部側の締付部とこれに対応する固定ブラケット側の締付部とを締付固定手段により締め付け固定して、ハンドルをハンドルポストに組み付けるようにした運動器具。
【請求項２】
固定ブラケットの上端部に可動ブラケットの上端部を枢着し、固定ブラケット及び可動ブラケットの夫々下端部に、ボルト挿通孔を有する締付部を設けて、これら締付部のボルト挿通孔に亘って挿通される締付ボルトとこれに螺合される締付ナットとからなる締付固定手段によって、前記両締付部を締め付けるようになっている請求項１に記載の運動器具。
【請求項３】
前記締付固定手段の締付ナットを固定ブラケット側締付部の外側に固着し、締付ボルトには締付レバーを固着し、この締付ボルトを可動ブラケット側締付部のボルト挿通孔から固定ブラケット側締付部のボルト挿通孔に通して締付ナットにねじ込むようになっている請求項２に記載の運動器具。
【発明の詳細な説明】
【０００１】
【発明の属する技術分野】
本発明は、使用者が座るサドルと使用者の足で漕ぐペタルと使用者の手を掛けるハンドルとを備える自転車タイプの運動器具に関するもので、特にそのうちハンドルの組み付け構造に係る。
【０００２】
【従来の技術】
図４に示すように、室内運動器具として、固定脚１に支持される本体部２にサドルポスト３が介して使用者が座るサドル４を取り付け、同じく本体部２の両側に使用者のの足で漕いで主に足の運動に供するペタル５と、同じく本体部２にハンドルポスト６を介して使用者の手を掛ける金属製のハンドル７とを備える自転車タイプの運動器具が従来から周知のものとして多用されている。尚、図中８は、サドル４の上下位置調整のためのノブボルト、９はペタル５の回転テンションを調整するためのテンションダイヤル、２６は走行距離表示盤である。
【０００３】
この自転車タイプの運動器具は、これらの各部材を嵩低に分解した状態で取扱店から使用者に発送され、使用者側でこれらの部材を使用可能に組み付けて使用する所謂ノックダウン構造のものが一般的である。このノックダウン構造の運動器具を組み付ける上で最もネックとなるのが、ハンドル７をハンドルホスト６に組み付ける場合である。即ち、ハンドル７には、使用者の手を保護するために、スポンジ様に若干肉厚で弾力性を有する管状のグリップ１０（図１参照）が嵌め込まれるようになっている。
【０００４】
図４のハンドル７を見れば分かるように、このハンドル７は略横倒Ｃ字状に複雑に湾曲形成されており、使用者側で、この複雑に湾曲したハンドル７に管状のグリップ１０を嵌め込まなければならずその組み付け作業はかなり面倒であり、このため使用者側から取扱店側にしばしば苦情の申入れがある。更にまた上述のようにハンドル７が複雑に湾曲しているため、これをハンドルポスト６に取り付ける作業もかなり面倒である。
【０００５】
この従来のハンドル７への管状グリップ１０及びハンドルポスト６への組み込み順序を図５によって説明すると、まず図５の（ａ）に示すように、複雑に湾曲したハンドル７を下向きにしてその一端部をハンドルポスト６の上端部に設けられた管状の固着ブラケット１１に嵌め込み、これを（ｂ）に示すようにハンドル７を管状固着ブラケット１１内を徐々に上向きに移動させ、（ｃ）に示すようにハンドル７が真上向きになって、表面がローレット加工された中央部の装着部１２が管状固着ブラケット１１の位置に達するとセットボルト等の適当な固着手段１３によって移動不能に強く固定する。このように、複雑な湾曲形状のハンドル７を管状固着ブラケット１１に嵌合する作業が極めて面倒であることが分かるが、それにも増して、して、ハンドル７を管状固着ブラケット１１に組み付けた後に、一対のスポンジ様の肉厚な弾性管状グリップ１０をハンドル７の両端部より嵌め込み、複雑なハンドル外周面を辿ってハンドル７の中央部まで嵌合することは、極めて面倒な作業である。
【０００６】
この場合に、使用者側での組み付け作業をできるだけ軽減するために、管状のグリップ１０をハンドル７に嵌合しておく作業を予め取扱店側で行っておくことができれば、それだけ使用者の組み付け作業を軽減することができるわけであるが、上述のようにハンドル７を管状固着ブラケット１１に嵌合して取り付ける必要があるため、予め肉厚な管状グリップ１０をハンドル７に嵌め込んだ状態であると、外径が大きくなるためハンドル７を管状固着ブラケット１１に嵌合することができず、また管状グリップ１０の内径を充分に大きくして嵌合し易いようにすれば、その装着部１２でセットボルト等の固着手段１３で固着する場合にガタツキが発生するなどしてその固着力が不充分になり、強固に固定することができなくなることになる。そのため、使用者側でハンドル７を管状固着ブラケット１１に組み付けた後でなければ、管状グリップ１０をハンドル７に嵌合することができず、どうしても使用者側で管状グリップ１０をハンドル７に組み付ける必要があった。
【０００７】
そこで、本発明の出願人は、上記のように、ハンドルを支えるハンドルポストに、スポンジ様の肉厚な管状グリップを嵌め込んだハンドルを組み付けるに当たって、ハンドルのハンドルポストへの組み付け作業を使用者側で簡便に行うことできると共に、ハンドルへの管状グリッブの組み付け作業を取扱店側で予め行うことができるハンドルの組み付け構造を以前に提案した。このハンドル組み付け構造は、ハンドルを支えるハンドルポストにスポンジ様の管状グリップを嵌め込んだハンドルを組み付けるに当たって、ハンドルポストに、ハンドルの外周面の一方側であるポスト側外周面を支持する固定ブラケットを固着し、この固定ブラケットに着脱自在に係着してハンドルの他方側外周面を支持する着脱ブラケットを設け、しかしてハンドルにスポンジ様の管状グリップを嵌め込んだ状態で、ハンドルのポスト側外周面を固定ブラケットに当てつけ、且つハンドルの他方側外周面に着脱ブラケットを当てつけ、この状態で着脱ブラケットを固定ブラケットに係着してハンドルをハンドルポストに組み付けるようになっている（特許文献１参照）。
【０００８】
【特許文献１】
特開２００１−３４０４８９号公報（第１〜４頁、図１〜図４）
【０００９】
【発明が解決しようとする課題】
上記公報に記載の運動器具におけるハンドル組み付け構造によれば、ハンドルのハンドルポストへの組み付け作業をハンドルに管状グリップを予め嵌め込んだ状態で行えるが、着脱ブラケットは、固定ブラケットと切り離して設けられたものであって、固定ブラケットに着脱ブラケットを係着させるためには、固定ブラケット側に設けた係着部に、この固定ブラケットから切り離された状態にある着脱ブラケット側に設けた被係着部を係着させた上で、着脱ブラケットを固定ブラケットに締め付け固定する必要があり、しかして固定ブラケット側の係着部に着脱ブラケット側の被係着部を係着する作業に結構手間がかかり、その係着状態が的確でないとハンドルの組み付けが不十分となることがあった。
【００１０】
本発明は、ハンドルを支えるハンドルポストに、スポンジ様の肉厚な管状グリップを嵌め込んだハンドルを組み付けるに当たって、ハンドルのハンドルポストへの組み付け作業を極めて簡便に行えるようにすることを目的としている。
【００１１】
【課題を解決するための手段】
上記目的を達成するために、請求項１の発明にあっては、使用者が座るサドル４と使用者の足で漕ぐペタル５と使用者の手を掛けるハンドル７とを備える自転車タイプの運動器具であって、ハンドル７を支えるハンドルポスト６に、スポンジ様の管状グリップ１０を嵌め込んだハンドル７を組み付けるに当たって、ハンドルポスト６に、ハンドル７の外周面の一方側であるポスト側外周面１４を支持する固定ブラケット１５を固着し、ハンドル７の他方側外周面１６を支持する可動ブラケット１７を固定ブラケット１５に対し開閉自在に枢着し、ハンドル７にスポンジ様の管状グリップ１０を嵌め込んだ状態で、ハンドル７のポスト側外周面１４を固定ブラケット１５に当てつけ、且つ可動ブラケット１７を開放状態からハンドル７の他方側外周面１６に可動ブラケット１７を当てつけて閉鎖状態とし、この状態で可動ブラケット１７の遊端部側の締付部２２とこれに対応する固定ブラケット１５側の締付部２２とを締付固定手段により締め付け固定して、ハンドル７をハンドルポスト６に組み付けるようにしたことを特徴とする。
【００１２】
請求項２は、請求項１に記載の運動器具において、固定ブラケット１５の上端部に可動ブラケット１７の上端部を枢着し、固定ブラケット１５及び可動ブラケット１７の夫々下端部に、ボルト挿通孔２３，２４を有する締付部２２，２２を設けて、これら両締付部２２，２２のボルト挿通孔２３，２４に亘って挿通される締付ボルト２０とこれに螺合される締付ナット２１とからなる締付固定手段によって、前記両締付部２２，２２を締め付けるようになっていることを特徴とする。
【００１３】
請求項３は、請求項２に記載の運動器具において、前記締付固定手段の締付ナット２１を固定ブラケット１５側締付部２２の外側に固着し、締付ボルト２０には締付レバー２５を固着し、この締付ボルト２０を可動ブラケット１７側締付部２２のボルト挿通孔２４から固定ブラケット１５側締付部２２のボルト挿通孔２３に通して締付ナット２１にねじ込むようになっていることを特徴とする。
【００１４】
【発明の実施の形態】
以下、本発明に係る自転車タイプの運動器具の実施形態を図１〜図３によって説明すると、ハンドルポスト６の上端部付近に固定ブラケット１５が固着され、これに対向するように可動ブラケット１７が固定ブラケット１５に開閉自在に枢着されていて、両ブラケット１５，１７間にハンドル７が挟着されるようになっている。
【００１５】
固定ブラケット１５の中央部は、ハンドル７のポスト側外周面１４を支持するための湾曲面を形成し、その上端部は、可動ブラケット枢着用のピン挿通管部１８を形成し、その下端部は、締付固定手段としての締付ボルト２０を挿通させるボルト挿通孔２３を有する締付部２２を形成し、この締付部２２の外側にはボルト挿通孔２３に挿通した締付ボルト２０をねじ込む締付ナット２１が溶接により固着されている。この固定ブラケット１５は、図２の（Ｂ）から分かるように、例えば溶接によりハンドルポスト６に固着される（その溶接部をＷで示す）。
【００１６】
また可動ブラケット１７の中央部は、ハンドル７の他方側外周面１６を支持するための湾曲面を形成し、その上端部の両側には可動ブラケット枢着用のピン挿通管部１９，１９を形成し、その下端部は、固定ブラケット１５と同様に、締付固定手段としての締付ボルト２０を挿通させるボルト挿通孔２４を有する締付部２２を形成している。締付ボルト２０には基部２７を介して締付レバー２５が固着されている。２８は座金である。
【００１７】
そして、可動ブラケット１７を固定ブラケット１５に枢着するにあたっては、ハンドルポスト６に固着された固定ブラケット１５のピン挿通管部１８の両側に可動ブラケット１７のピン挿通管部１９，１９を同軸に配置して、これらのピン挿通管部１９，１８，１９に軸ピンＰを挿通し、抜け出ないように適宜固定することによって、可動ブラケット１７は、図２の（Ａ）の実線で示される閉鎖位置と同図の仮想線で示されるような開放位置とに亘り固定ブラケット１５に対して開閉自在に枢着される。
【００１８】
また、ハンドル７には予め、その両端部から一対の管状グリップ１０がハンドル７の中央装着部１２を除いて嵌め込まれ、ハンドル７の外周面全域が手の感触のよいスポンジ様弾性管で被覆されることになる。
【００１９】
組立順序を説明すると、先ず、取扱店側で、一対のスポンジ様の肉厚で弾力性を有する管状グリップ１０を、略Ｃ字状に形成されたハンドル７の両端部から、その中央部１２に向かって図３に示すように嵌合させる。ハンドル７の中央部１２は、図３に示すように、従来と同じようにその表面がローレット加工されてハンドルポスト６への装着部を形成し、この装着部１２には管状グリップ１０を嵌合させないで、ハンドル７の装着部、即ちローレット加工表面１２が露出したままとなっている。
【００２０】
上記のように、取扱店側で管状グリップ１０をハンドル７に装着した状態で、運動器具ユニットを使用者側に発送する。そして、使用者側で、運動器具ユニットをノックダウン方式で組み付けていくことになるのであるが、その組み付け途上において、図３に示すようにハンドルポスト６に固着された固定ブラケット１５に枢着されて閉じた状態にある可動ブラケット１７を上方へ回動して回動開放させ、こうして可動ブラケット１７を開放させた状態で固定ブラケット１５に、ハンドル７の装着部１２のポスト側外周面１４を当接させた後、開放状態にある可動ブラケット１７をハンドル７の装着部１２の他方側外周面１６に当てつけて閉鎖状態にし、この状態で固定ブラケット１５の下端部の締付部２２と可動ブラケット１７の下端部の締付部２２とを互いに接近させ、これにより同心状に貫通するボルト挿通孔２３，２４に図３に示すように締付ボルト２０を挿通させ、これに座金２８を嵌めた状態で、この締付ボルト２０を、固定ブラケット１５側の締付部２２の外側に固着された締付ナット２１にねじ込み、締付レバー２５を回転して締め付けることによって、図２に示すように、管状グリップ１０を嵌め込んだハンドル７をハンドルポスト６に装着することができる。
【００２１】
上記のように固定ブラケット１５に枢着されている可動ブラケット１７を回動して開放させておいて、固定ブラケット１５にハンドル７の装着部１２のポスト側外周面１４を当接させた後、開放状態にある可動ブラケット１７をハンドル７の装着部１２の他方側外周面１６に当てつけて閉鎖し、この状態で可動ブラケット１７側の締付部２２と可動ブラケット１７側の締付部２２とを締付ボルト２０及び締付ナット２１からなる締付固定手段により締め付け固定すればよいから、ハンドル７のハンドルポスト６への組み付け作業を、従来の着脱式ブラケットの使用に比べ、はるかに簡単容易に行なうことができる。
【００２２】
また、ハンドル７に管状グリップ１０を予め装着した状態であっても、上述のようにハンドル７の中央装着部１２の部分で固定ブラケット１５と可動ブラケット１７とで挟み込むようにして、ハンドル７をハンドルポスト６に固定することができるから、管状グリップ１０は取扱店側で予めハンドル７に装着された状態で出荷することができ、それだけ使用者側での組み付け作業の負担を軽減することができる。
【００２３】
また、この実施形態では、固定ブラケット１５の上端部に可動ブラケット１７の上端部を枢着し、固定ブラケット１５及び可動ブラケット１７の夫々下端部に締付部２２，２２を設けて、これら両締付部２２，２２のボルト挿通孔２３，２４に亘って挿通される締付ボルト２０とこれに螺合される締付ナット２１とからなる締付固定手段によって、両締付部２２，２２を締め付けるようになっているから、締付部２２，２２を固定ブラケット１５及び可動ブラケット１７の夫々上端部に設ける場合に比べ、締め付け作業がし易くなる。
【００２４】
また実施形態では、締付固定手段の締付ナット２１を固定ブラケット１５側締付部２２の外側に固着し、締付ボルト２０には締付レバー２５を固着し、この締付ボルト２０を可動ブラケット１７側締付部２２のボルト挿通孔２４から固定ブラケット１５側締付部２２のボルト挿通孔２３に通して締付ナット２１にねじ込むようにしているのは、可動ブラケット１７を固定ブラケット１５に対し開閉自在に枢着していることもあって、そうした方が締め付け作業が容易となるからである。即ち、締め付けの際には閉鎖した可動ブラケット１７側締付部２２のボルト挿通孔２４から締付ボルト２０を挿入して固定ブラケット１５側締付部２２の外側の締付ナット２１にねじ込めばよいから、締め付け作業を迅速容易に行なえ、またねじ込みに際しては締付レバー２５を回転操作するだけで、両ブラケット１５，１７を強固に締め付けることができる。
【００２５】
【発明の効果】
請求項１に係る発明によれば、ハンドルポストにハンドルの外周面の一方側であるポスト側外周面を支持する固定ブラケットを固着し、ハンドルの他方側外周面を支持する可動ブラケットを固定ブラケットに開閉自在に枢着しているから、ハンドルにスポンジ様の管状グリップを予め嵌め込んだ状態で、可動ブラケットを回動して開放させておいて、固定ブラケットにハンドルのポスト側外周面を支持させた後、開放状態にある可動ブラケットをハンドルの他方側外周面に当てつけて閉鎖し、この状態で可動ブラケット側の締付部と可動ブラケット側の締付部とを締付固定手段により締め付け固定すればよく、従ってハンドルのハンドルポストへの組み付け作業を、従来の着脱式ブラケットの使用に比べてはるかに簡単容易に行なうことができる。
【００２６】
請求項２に係る発明によれば、固定ブラケットの上端部に可動ブラケットの上端部を枢着し、固定ブラケット及び可動ブラケットの夫々下端部に、ボルト挿通孔を有する締付部を設け、これら両締付部のボルト挿通孔に亘って挿通される締付ボルトとこれに螺合される締付ナットとからなる締付固定手段によって、両締付部を締め付けるようになっているから、締め付け作業が簡単となる。
【００２７】
請求項３に係る発明によれば、締付ナットを固定ブラケット側締付部の外側に固着し、締付ボルトには締付レバーを固着し、この締付ボルトを可動ブラケット側締付部のボルト挿通孔から固定ブラケット側締付部のボルト挿通孔に通して締付ナットにねじ込むようにするから、締め付けの際には閉鎖した可動ブラケット側締付部のボルト挿通孔から締付ボルトの挿入して固定ブラケット側締付部の外側の締付ナットにねじ込めばよく、締め付け作業を迅速容易に行なえる。
【図面の簡単な説明】
【図１】本発明の一実施の形態である斜視図である。
【図２】（Ａ）は固定ブラケット及び可動ブラケットの側面図、（Ｂ）は
同縦断側面図である。
【図３】両ブラケットによるハンドル組付け作業を示す斜視図である。
【図４】従来から周知の自転車タイプの運動器具を示す斜視図である。
【図５】同従来の上運動器具の組み付け順序を示す説明図である。
【符号の説明】
４　　　　　サドル
５　　　　　ペタル
６　　　　　ハンドルポスト
７　　　　　ハンドル
１４　　　　ポスト側外周面
１５　　　　固定ブラケット
１６　　　　他方側外周面
１７　　　　可動ブラケット
１８　　　　ピン挿通管部
１９　　　　ピン挿通管部
２０　　　　締付ボルト
２１　　　　締付ナット
２２　　　　締付部
２３　　　　ボルト挿通孔
２４　　　　ボルト挿通孔
２５　　　　締付レバー
【図１】
2004097655.tif 000003
【図２】
2004097655.tif 000004
【図３】
2004097655.tif 000005
【図４】
2004097655.tif 000006
【図５】
2004097655.tif 000007